(57)【要約】【課題】肌面に貼り付けた時に、創傷被覆材と周囲の肌面との間で違和感が無く、目立つことがない創傷被覆材を提供する。【解決手段】熱可塑性樹脂フィルム(5)の片面に、被覆される創傷部位の非創傷時の肌面カラー画像又は前記創傷部位以外の部位の肌面カラー画像が印刷された印刷インク層(6)を有し、前記熱可塑性樹脂フィルムの他面側に粘着剤(2)を有している。好ましくは、前記肌面カラー画像が印刷された印刷領域(S1)を取り囲む領域が、前記印刷インク層(6)を含まない透明領域(S2)となっている。さらに、前記熱可塑性樹脂フィルム(5)の前記他面側に、遮光性を有する肌色インク層(7)が形成されている。【選択図】図３
2014014580.tif 000002
【特許請求の範囲】
【請求項１】
熱可塑性樹脂フィルムの片面に、被覆される創傷部位の非創傷時の肌面カラー画像又は前記創傷部位以外の部位の肌面カラー画像が印刷された印刷インク層を有し、前記熱可塑性樹脂フィルムの他面側に粘着剤を有している、ことを特徴とする創傷被覆材。
【請求項２】
前記肌面カラー画像が印刷された印刷領域を取り囲む領域が、前記印刷インク層を含まない透明領域となっている、請求項１に記載の創傷被覆材。
【請求項３】
前記熱可塑性樹脂フィルムの前記他面側に、遮光性を有する肌色インク層が形成されている、請求項１又は２に記載の創傷被覆材。
【請求項４】
前記熱可塑性樹脂フィルムの前記片面と前記印刷インクとの間に、遮光性を有する肌色インク層が形成されている、請求項１又は２に記載の創傷被覆材。
【請求項５】
被覆される創傷部位の非創傷時の肌面カラー画像又は創傷部位以外の領域の肌面カラー画像を読み取る読み取り工程と、
読み取った肌面カラー画像の形状及び色彩のデータに基づき、熱可塑性樹脂フィルムの片面に前記肌面カラー画像を印刷する工程と、
を含んでいる創傷被覆材の製造方法。
【発明の詳細な説明】
【技術分野】
【０００１】
本発明は、身体の創傷部位の表面を保護するための創傷被覆材及びその製造方法に関する。
【背景技術】
【０００２】
創傷被覆材は、一般に、熱傷、擦傷、切傷、褥瘡（床擦れ）等の創傷を治療あるいは保護するために用いられが、外科手術あるいは整形美容外科手術の後の縫合部分等を保護するためにも多く用いられている。
【０００３】
創傷被覆材の表面の色は、一般的には白色が使用されているが（特許文献１）、創傷被覆材の表面と周りの肌との色彩的な違和感を和らげるために、肌色が使用されることも多い。
【先行技術文献】
【特許文献】
【０００４】
【特許文献１】特開２００８−０９９７７３号公報
【発明の概要】
【発明が解決しようとする課題】
【０００５】
身体の肌面は、多くの細かい皺、体毛及び血管等により複雑な模様を呈しており、そのような肌面模様は、男女差及び年齢差で異なることに加え、個人個人でも異なり、さらに、肌の色の濃さも千差万別である。したがって、前述のように、創傷被覆材の表面の色を、画一的な肌色としていても、創傷被覆材の貼付箇所が周りから目立つのを避けることは困難である。特に、顔の整形外科手術後に、縫合箇所等を覆うために使用する場合には、少しの違和感があっても、患者にとっては非常に気になるものである。
【０００６】
本発明の目的は、創傷被覆材の貼付箇所とその周りの肌面の模様及び色彩等の相違を軽減し、創傷被覆材の貼付箇所が目立つことがないよう、創傷部位を覆うことができる創傷被覆材を提供することである。また、そのような創傷被覆材を製造できる製造方法を提供することも、目的の１つである。
【課題を解決するための手段】
【０００７】
上記課題を解決するため、本発明に係る創傷被覆材は、熱可塑性樹脂フィルムの片面に、被覆される創傷部位の非創傷時の肌面カラー画像又は前記創傷部位以外の部位の肌面カラー画像が印刷された印刷インク層を有し、前記熱可塑性樹脂フィルムの他面側に粘着剤を有している。
【０００８】
上記創傷被覆材において、好ましくは、前記肌面カラー画像が印刷された印刷領域を取り囲む領域が、前記印刷インク層を含まない透明領域となっている。また、前記熱可塑性樹脂フィルムの前記他面側に、遮光性を有する肌色インク層が形成されている。この肌色インク層は、前記熱可塑性樹脂フィルムの片面と前記印刷インク層との間に形成することもできる。
【０００９】
本発明に係る創傷被覆材の製造方法は、被覆される創傷部位の非創傷時の肌面カラー画像又は創傷部位以外の領域の肌面カラー画像を読み取る読み取り工程と、読み取った肌面カラー画像の形状及び色彩のデータに基づき、熱可塑性樹脂フィルムの片面に前記肌面カラー画像を印刷する工程と、を含んでいる。
【発明の効果】
【００１０】
本発明に係る創傷被覆材によると、創傷被覆材とその周囲の肌面との間で、肌模様及び色彩に関する違和感を大幅に減少でき、創傷被覆材を貼り付けている箇所が目立たなくなり、気付かれにくくなる。
【００１１】
特に、印刷領域の周囲に透明領域を設けていると、透明領域において透けて見える肌面は、印刷領域における肌面カラー画像と実際の肌面との中間的な見え方となるため、印刷領域の肌面カラー画像から、透明領域で透けて見える肌面を経て、実際の肌面へと順次段階的に変化することになる。これにより、グラデーションのように、違和感無く見え、創傷被覆材と実際の肌面との境目が目立たず、創傷被覆材を貼り付けていることが、より一層気付かれにくくなる。
【００１２】
さらに、前記印刷領域の前記他面に、遮光性を有する肌色インク層を形成していると、創傷部位あるいはそれを覆う内部傷パッド等が被覆材表面から透けて見えることを確実に防止でき、かつ、肌色インク層が肌色であることにより、印刷領域の肌面カラー画像の色合いを害することはない。
【００１３】
本発明に係る製造方法によると、病院あるいは診療所の医療現場において、患者の肌面の写真を撮ることにより、即座に創傷被覆材を製造でき、各患者に対し、迅速、かつ、的確に、創傷被覆材を使用することができる。
【図面の簡単な説明】
【００１４】
【図１】本発明の第１の実施の形態に係る創傷被覆材の斜視断面図である。
【図２】図１の創傷被覆材の矢印II部分の断面斜視拡大図である。
【図３】図１の創傷被覆材の矢印IＩI部分の断面斜視拡大図である。
【図４】創傷被覆材の製造装置の一例の外観斜視図である。
【図５】本発明の第２の実施の形態に係る創傷被覆材の断面斜視拡大図である。
【図６】図５の創傷被覆材の矢印VI部分の断面斜視拡大図である。
【図７】図５の創傷被覆材の矢印VII部分の断面斜視拡大図である。
【発明を実施するための形態】
【００１５】
［創傷被覆材の第１の実施形態］
図１乃至図３は本発明に係る創傷被覆材を示しており、これらの図面に基づいて、本発明の第１の実施形態を説明する。
【００１６】
図１は身体の肌面Ａ２に貼り付けた状態の創傷被覆材１であり、創傷部位の創傷領域Ａ１を覆うように市販品の傷パッド１０が配置され、該傷パッド１０は粘着剤１１により肌面Ａ２に貼り付けられている。そして、前記傷パッド１０を面積的に余裕を持って覆うように、創傷被覆材１が配置され、該創傷被覆材１は、肌面Ａ２側に塗布された粘着剤２により、傷パッド１０の領域外の肌面及び傷パッド１０の表面に貼り付けられている。創傷被覆材１の傷パッド１０の領域外の部分には、多数の通気用微細孔３が形成されている。前記粘着剤２は、微細孔３を塞ぐことがないように、点状あるいは筋状に塗布されている。
【００１７】
図２は図１の矢印II部分の断面拡大図であり、創傷被覆材１は、孔版印刷機の製版原紙に使用する透明な熱可塑性樹脂フィルム５を主材料としており、この熱可塑性樹脂フィルム５の片面、すなわち肌面側と反対側の面に、肌面カラー画像が印刷された印刷インク層６を有し、熱可塑性樹脂フィルム５の他面側に、遮光性を有し肌色に印刷された肌色インク層７及び前記粘着剤２を有している。印刷インク層６に印刷されている肌面カラー画像は、被覆される創傷部位の非創傷時の肌面カラー画像又は前記創傷部位以外の部位の肌面カラー画像である。特に、創傷部位以外の部位の肌面カラー画像を使用する場合には、同一の患者において、創傷部位に対応する左右反対側の部位の肌面カラー画像が好ましい。これは、通常、同一人物の左右で対応する部位の肌面の模様あるいは形状は、似通ったものだからである。
【００１８】
熱可塑性樹脂フィルム５として、たとえば延伸されたポリエチレンテレフタレート（ＰＥＴ樹脂）フィルムあるいはポリオレフィン系フィルムが使用される。微細孔３の穿孔加工に、孔版印刷機の原紙製版用のサーマルヘッドが用いられる場合には、好ましくは、ポリエチレンテレフタレートフィルムは厚みが１．５〜３μｍのものが使用され、ポリオレフィン系フィルムは厚みが３〜１０μｍのものが使用される。なお、上記ポリエチレンテレフタレートフィルムあるいはポリオレフィン系フィルムの他に、ポリエステル樹脂、ポリエチレン樹脂、ポリ塩化ビニル樹脂、ポリ塩化ビニリデン樹脂、ポリメチルペンテン樹脂、ポリプロピレン樹脂、ポリエチレンナフタレート樹脂、ポリビニルアルコール樹脂、ナイロン６等のフィルムが利用可能である。
【００１９】
図３は図１の矢印IＩI部分の断面斜視拡大図であり、肌面カラー画像が印刷された印刷インク層６及び肌色インク層７が存在する印刷領域Ｓ１を取り囲む領域は、前記印刷インク層６及び肌色インク層７が形成されていないことにより、肌面Ａ２が透けて見える透明領域Ｓ２となっている。実線で示すＰ１は、肌面の実際の皺を示し、実線で示すＰ２は、印刷領域Ｓ１に印刷された皺を示し、破線で示すＰ３は、透明領域Ｓ２において、透明な熱可塑性樹脂フィルム５を通して透けて見える皺を示している。
【００２０】
微細孔３は、直径が１０数μｍから５０μｍ程度の大きさで形成されている。また、各微細孔３は、熱穿孔加工により形成されており、したがって、微細孔３の両端開口周縁３ａは、加工時の熱で溶融したフィルムが収縮して、丸い形状になっている。
【００２１】
図４は、診察室等の医療現場における創傷被覆材１の製造装置の一例を示しており、製造装置は、カメラ機能を有するタブレット端末２１あるいはディジタルカメラと、カラー印刷機能を有するプリンタ２２とを備えている。プリンタ２２は、さらに微細孔の熱穿孔用に、孔版印刷機の製版用のサーマルヘッドを備えることもできる。
【００２２】
（製造及び使用方法）
医療現場において、図４に示すように、創傷部位Ｘ１の非創傷時の肌面と似た模様を有する他の肌面Ｘ２を、タブレット端末２１あるいはディジタルカメラにより撮影する。図４に示す例は、患者が右手ＲＨに負傷部位（患部）Ｘ１を有している場合を示しており、その患者の左手ＬＨのうち、前記右手ＲＨの創傷部位Ｘ１に対応する部位Ｘ２を、カラー撮影している。
【００２３】
そして、撮影した肌面カラー画像Ｘ２ａのデータは、患者の左手ＬＨの部位Ｘ２を撮影したものであるため、好ましくは、右手ＲＨの創傷部位Ｘ１に合わせるために、データを左右反転させてプリンタ２２に入力する。プリンタ２２では、左右反転されたデータに基づいて、熱可塑性樹脂フィルム５の片面に、前記部位Ｘ２の肌面カラー画像の左右反転画像を等倍で印刷する。図１において、微細孔３は、印刷前に、予め熱可塑性樹脂フィルム５の外周端部に形成しておいても良いが、印刷と同時に、熱可塑性樹脂フィルム５の外周端部に、サーマルヘッドにより熱穿孔してもよい。
【００２４】
創傷被覆材１を製造後は、図１のように、まず、創傷部位の創傷領域Ａ１を覆うように、傷パッド１０を肌面に貼り付け、さらにその上から創傷被覆材１で覆い、該創傷被覆材１を創傷部位の創傷領域Ａ１の外の領域の肌面に、粘着剤２により貼り付ける。
【００２５】
（第１の実施形態の効果）
（１）印刷領域Ｓ１には、創傷を負っている患者の肌面を撮影したカラー画像が印刷されているので、創傷被覆材１とその周囲の肌面Ａ２との間で、肌模様及び色彩に関する違和感を大幅に減少でき、創傷被覆材１を貼り付けている箇所が目立たなくなり、創傷被覆材１を貼っていることが気付かれにくくなる。
【００２６】
（２）印刷領域Ｓ１の外周を囲むように透明領域Ｓ２を形成しており、透明領域Ｓ２において透けて見える肌面は、印刷領域Ｓ１における肌面カラー画像と実際の肌面との中間的な見え方となるため、印刷領域Ｓ１の肌面カラー画像から、透明領域Ｓ２で透けて見える肌面を経て、実際の肌面へと順次変化することになる。これにより、グラデーションが形成され、創傷被覆材１及びその周囲が違和感無く見え、創傷被覆材１と実際の肌面との境目が目立たず、創傷被覆材１を貼り付けていることが、より一層気付かれにくくなる。
【００２７】
（３）熱可塑性樹脂フィルム５の印刷インク層６側とは反対側に面に、遮光性を有する肌色インク層７を形成しているので、創傷部位あるいはそれを覆う内部傷パッド１０が被覆材表面から透けて見えることを確実に防止でき、かつ、肌色インク層７が肌色であることにより、印刷領域Ｓ１の肌面カラー画像の色合いを害することはない。
【００２８】
（４）図１のように、創傷部位を覆う傷パッド１０に対応する領域には微細孔３を形成せず、傷パッド１０外の領域のみに微細孔３を形成しているので、貼り付け後、創傷部位は密封状態が保たれる。したがって、患部からしみ出した浸出液Ｌ１は、創傷部位に溜まり、創傷部位を湿潤状態に維持し、乾燥を阻止する。これにより、創傷部位の衛生状態が保たれるのは勿論の事、創傷部位にかさぶたが生じるのを防ぎ、かさぶたによる痛みの発生を抑え、傷口の再生が促進される。一方、肌面に粘着された外周端部領域では、微細孔３の通気性により乾燥状態に保たれ、蒸れ等を防ぐことができる。
【００２９】
（５）熱穿孔加工により微細孔３を形成していることにより、微細孔３の両端開口縁３ａが丸い形状になっているので、熱可塑性樹脂フィルム５が肌に接触した際に、滑らかな感触となり、使用者に不快感を与えることがない。しかも、熱収縮により丸くなった開口縁３ａは、強度も高くなっており、開口縁３ａからは破れにくい。
【００３０】
［創傷被覆材の第２の実施形態］
図５乃至図７は、本発明に係る創傷被覆材１の第２の実施形態を示しており、図５は、創傷被覆材の斜視断面図、図６は、図５の創傷被覆材の矢印VI部分の断面拡大図、図７は、図５の創傷被覆材の矢印VII部分の断面斜視拡大図である。
【００３１】
図１乃至図３の実施の形態と異なる構造は、遮光性を有する肌色インク層７を、熱可塑性樹脂フィルム５の片面と、肌面カラー画像が印刷され印刷インク層６と、の間に設けていることである。その他の構造は、図１乃至図３と同様であり、同じ部分には、同じ符号を付してある。
【００３２】
作用効果も、基本的には前記第１の実施の形態の場合と同様である。
【００３３】
［その他の実施の形態］
（１）前記実施の形態では、微細孔３を、傷パッド１０に対応する領域の外に形成し、傷パッド１０に対応する領域には形成していないが、熱可塑性樹脂フィルム５の全体に亘って微細孔３を形成することも可能である。この場合、好ましくは、創傷の種類によって、傷パッド１０に対応する領域の外と、傷パッド１０に対応する領域内とで、開口率を異ならせる。たとえば、傷パッド１０に対応する領域に対し、傷パッド１０に対応する領域の外の領域の開口率を大きく設定する。反対に、傷パッド１０に対応する領域の開口率を大きくすることも可能である。この場合は、創傷部位の通気性が確保され、創傷部位の乾燥が促進される。したがって、水虫等のように患部を乾燥させる治療に向いている。
【００３４】
（２）創傷被覆材の構成は、前述の実施の形態で示したものに限らず、熱可塑性樹脂フィルムと、ガーゼ及び不織布以外の支持材（支持層）と、を有する構造でも良い。また、ガーゼ／不織布以外の別の支持材を有する構造であっても良い。
【符号の説明】
【００３５】
１  創傷被覆材
２  粘着剤
３  微細孔
５  熱可塑性樹脂フィルム
６  印刷インク層
７  遮光性肌色インク層
【図１】
2014014580.tif 000003
【図２】
2014014580.tif 000004
【図３】
2014014580.tif 000005
【図４】
2014014580.tif 000006
【図５】
2014014580.tif 000007
【図６】
2014014580.tif 000008
【図７】
2014014580.tif 000009